(57)【特許請求の範囲】
【請求項１】
広面を有する基盤の一側に、一つまたは複数の柱状または筒状の突出部を設けて成るユニット部材の連結用アダプターであって、
互いの突出部を上下に対向させる一対のユニット部材に対し、その対向突出部間に介在させるためのスペーサー部材と、
ユニット部材の基盤と同一形状の基盤を中央部に一体形成し、かつ上記両突出部の端部およびスペーサー部材を一括して抱持嵌合するための連結部材とから成る、
ユニット部材の連結用アダプター。
【請求項２】
スペーサー部材として、予め設定した規格に応じた高さのものを各種取り揃え、また、連結部材も、これに対応したものを各種取り揃えるようにした請求項1に記載のユニット部材の連結用アダプター。
【発明の詳細な説明】
【技術分野】
【０００１】
本発明は、通水性を有する構造体や自然水を貯留する構造体、あるいは水上に浮かべ、また水中に沈める構造体、その他各種用途に使用することができるユニット部材を対象とするアダプターであって、互いの連結高さを自由に設定可能とするようにしたものである。
【背景技術】
【０００２】
従来、例えば図７乃至図１２に示すようなユニット部材が存在する。  これは、基盤上に一つまたは複数の突出部を設けて強度を高めると共に、互いの突出部を対向接触させた上これを固定し、これを複数単位、縦横および高さ方向に連結することにより、各種の構造体を構築するものである。(例えば特許文献１及び特許文献２参照。)
【先行技術文献】
【特許文献】
【０００３】
【特許文献１】特公平０４−０２６６４８号公報
【特許文献１】特開平１０−２５２１０８号公報
【発明の概要】
【発明が解決しようとする課題】
【０００４】
上記した従来手段であると、各ユニットの高さ方向の間隔は、突出部の高さによって定まるため、この間隔を所望のものとするためには，突出部の高さが異なるユニット部材を各種取り揃えなければならなかった。
【０００５】
更に、突出部の高さ方向の寸法を多く取った場合、座屈等を生じやすく、強度的な弱点と成ってしまうものである。
【０００６】
本発明はこのような問題を解決した新規の「ユニット部材の連結用アダプター」と言う新規な製品の提供を図ったものである。
【課題を解決するための手段】
【０００７】
本発明は請求項１に記載のように、広面を有する基盤の一側に、一つまたは複数の柱状または筒状の突出部を設けて成るユニット部材の連結用アダプターであって、
互いの突出部を上下に対向させる一対のユニット部材に対し、その対向突出部間に介在させるためのスペーサー部材と、
ユニット部材の基盤と同一形状の基盤を中央部に一体形成し、かつ上記両突出部の端部およびスペーサー部材を一括して抱持嵌合するための連結部材とから成る、
ユニット部材の連結用アダプターに係る。
【０００８】
本発明は請求項2に記載のように、スペーサー部材として、予め設定した規格に応じた高さのものを各種取り揃え、また、連結部材も、これに対応したものを各種取り揃えるようにした請求項1に記載のユニット部材の連結用アダプターを実施の態様とする。
【発明の効果】
【０００９】
本発明は請求項1に記載のような構成の採用に基づき、一対のユニット部材A,Aは上下方向に確固たる連結状態に保たれると共に、スペーサー部材２の存在に基づきその対向間隔の拡大化が図られこととなる。  従って、スペーサー部材２の選択に基づき、任意にその対向間隔を設定することができる。
従来にあっては、このような対向間隔の変更は、スペーサー部材全体を別個のものに変更しなければならないため、必然、コスト高となったが、本発明にあってはアダプター的な利用に基づき可能化されるため、このような変更が極めて廉価に達成される。    
【００１０】
更に、連結部材1には、対象とするユニット部材の基盤aと同一形態を呈する基盤1aを形成してあるため、支持用柱等に対して基盤aの端縁を接触させた際、連結部材1の  基盤1aも同時に接触する。  従って、ユニット部材は上下の基盤aに依る支持と同時に、その中間部において連結部材の基盤1aによる支持がなされるため、３点支持に基づきその安定化の向上図られる。(図２に示す鎖線参照)
【００１１】
本発明は、請求項2に記載のように、スペーサー部材として、予め設定した規格に応じた高さのものを各種取り揃え、また、連結部材も、これに対応したものを各種取り揃えるようにしたから、一種類のユニット部材を用いて、多種類の高さ幅のものに対応可能とされるため、ユニット部材の汎用的利用を図ることができる。
【図面の簡単な説明】
【００１２】
【図１】本発明の組み立て前の分解状態を表した説明用正面図である。
【図２】同上組み立て状態を表した説明用正面図である。
【図３】本発明の要旨部材たる連結部材を表した平面図である。
【図４】同上一部切欠正面図である。
【図５】本発明のもう一つの要旨部材たるスペーサー部材を表した平面図である。
【図６】同上スペーサー部材にして高さの異なるものを一覧的に表示して成る正面図であり、(イ)は丈低のもの、(ロ)は中間のもの、(ハ)は丈高のものを例示的に表してある。
【図７】本発明の実施対象とするユニット部材の第１例を表した平面図である。
【図８】同上一部切欠正面図である。
【図９】本発明の実施対象とするユニット部材の第２例を表した正面図である。
【図１０】同上平面図である。
【図１１】本発明の実施対象とするユニット部材の第３例を表した正面図である。
【図１２】本発明の実施対象とするユニット部材の第４例を表した正面図である。
【発明を実施するための形態】
【００１３】
本発明は、通水性を有する構造体や自然水を貯留する構造体、あるいは水上に浮かべ、また水中に沈める構造体、その他各種用途に使用することができるユニット部材を実施対象とするアダプターであって、互いの連結高さを自由に設定可能とするようにしたものである。 そして本発明は、広面を有する基盤の一側に、一つまたは複数の柱状または筒状の突出部を設けて成るユニット部材を、実施対象とする連結用アダプターに関する。
【００１４】
図１及び図２は基本形態とする１単位のユニット部材Aに対する実施形態を表したものである。  すなわち、当該ユニット部材Aは、図７及び図８に示すように、矩形状基盤a(本発明においては「各隅角を直角とする四角形を呈する基盤」とすることが好ましい)の中心部に裁頭円錐形または円筒形を呈しかつ底面を開口面とすると共に上面を閉鎖面とする突出部bを一体形成したものである。  そして、当該ユニット部材Aは２個を一対とし、互いの突出部bを対向接触させた状態で連結して、通水性を有する等の構造体としての使用に供するものである。  なお、当該ユニット部材Aは特許文献2に示すように公知技術に属するため、これに関する詳細な説明は省略する。
【００１５】
そして本発明は、上記したようなユニット部材の一対の連結を、所要の高さに調節連結可能とするように構成したことを特徴とするものである。
【００１６】
図３及び図４は本発明における要旨部材たる連結部材1を表したものであり、当該連結部材1は、対象とするユニット部材の基盤部と同一形態を呈する基盤1aの中心部に、後記するスペーサー部材２を挿通させるための挿通孔1cを開設して成る連結用突出部1bを一体形成したものである。  そして、当該挿通孔1bの両端には、ユニット部材の突出部上端をしっくりと受け入れるためのテーパー状受座1dが形成してある。  なお、当該受座1cは、実施対象とするユニット部材の突出部の形状が裁頭円錐形を呈するものの場合に必要とするが、これが円筒状のものの場合は不要である。
【００１７】
図５及び図６は、本発明のもう一つの要旨部材たるスペーサー部材２を表したものである。  当該スペーサー部材２は、ユニット部材の突出部の頂面と同一径を有する円柱状を呈するものであり、その高さは、予め設定した規格に応じた高さ、例えば図６の(イ)、(ロ)、(ハ)に示すように低、中、高と言うように段階的に高さを異ならせたものを用意する。  そして、前記した連結部材1も、その挿通孔1bの長さを、上記したスペーサー部材２の高さに即応させた寸法のものを用意する。
【００１８】
上記した連結部材1とスペーサー部材２を用いて、一対のユニット部材Aを上下に連結するためには、図１に示すようにして行う。  すなわち、下位側に位置させるニット部材の突出部bの頂面上に、スペーサー部材２を立てた状態で位置させると共に、連結部材1を被せるようにしてその挿通孔1cに対して、スペーサー部材２を確りと嵌合させる。然る後、上位側に位置させるユニット部材Aの突出部bを上記突出部bの上端開口部に嵌合させることにより、図２に示すように、一対のユニット部材Aが、上下に連結された状態での安定連結が図られる。  すなわち、連結部材1を介して、上記両突出部の端部およびスペーサー部材を一括して抱持嵌合させるわけである。  
【００１９】
この状態において、一対のユニット部材A,Aは上下方向に確固たる連結状態に保たれると共に、スペーサー部材２の存在に基づきその対向間隔の拡大化が図られる。  従って、スペーサー部材２の選択に基づき、任意にその対向間隔を設定することができる。  
【００２０】
更に、連結部材1には、対象とするユニット部材の基盤aと同一形態を呈する基盤1aを形成してあるため、支持用柱等に対して基盤aの端縁を接触させた際、連結部材1の  基盤1aも同時に接触する。  従って、ユニット部材は上下の基盤aに依る支持と同時に、その中間部において連結部材の基盤1aによる支持がなされるため、３点支持に基づきその安定化の向上図られる。(図２に示す鎖線参照)
【００２１】
図９及び図１０は本発明の実施対象とするユニット部材の第２例を表したものであり、二つの突出部を備えたものである。
【００２２】
図１１は本発明の実施対象とするユニット部材の第３例を表したものであり、四つの突出部を備えたものである。
【００２３】
図１２は本発明の実施対象とするユニット部材の第３例を表したものであり、四つの突出部を備え、かつ、基盤の所要箇所に連通用切り欠き部mを形成して成ることにより、通水性等を阻害しないようにしたものである。
【００２４】
本発明は、上述したような各種形態のユニット部材も、実施の対象とするものである。  
【符号の説明】
【００２５】
A  ユニット部材
a  基盤部
b  突出部
m  切り欠き部
1    連結部材
1a  基盤
1b  連結用突出部
1c  挿通孔
1d  テーパー状受座
２  スペーサー部材
【図１】
0006557818.tif 000002
【図２】
0006557818.tif 000003
【図３】
0006557818.tif 000004
【図４】
0006557818.tif 000005
【図５】
0006557818.tif 000006
【図６】
0006557818.tif 000007
【図７】
0006557818.tif 000008
【図８】
0006557818.tif 000009
【図９】
0006557818.tif 000010
【図１０】
0006557818.tif 000011
【図１１】
0006557818.tif 000012
【図１２】
0006557818.tif 000013